(57)【要約】【課題】ホットプレートを縦置きした場合、安定化する縦置き構造構造を提供すること。【解決手段】本体ケースと、該本体ケース内に収納配置されるプレートと、該プレートを加熱するための加熱源と、前記プレート上に載置される蓋とを有し、前記本体ケースと前記プレートと前記蓋とを一体収納可能なホットプレートにおいて、前記本体ケースの一側面には脚部が設けられ、前記本体ケースを縦置きにしたときには、前記本体ケースは前記蓋と反対側に傾斜する構成。【選択図】図４
2006247408.tif 000002
【特許請求の範囲】
【請求項１】
本体ケースと、該本体ケース内に収納配置されるプレートと、該プレートを加熱するための加熱源と、前記プレート上に載置される蓋とを有し、前記本体ケースと前記プレートと前記蓋とを一体収納可能なホットプレートにおいて、
前記本体ケースの一側面には脚部が設けられ、前記本体ケースを縦置きにしたときには、前記本体ケースは前記蓋と反対側に傾斜することを特徴とするホットプレート。
【発明の詳細な説明】
【技術分野】
【０００１】
本発明は、本体ケースと少なくとも１枚のプレートと蓋とを有するホットプレートに関するものである。
【背景技術】
【０００２】
従来ホットプレートは、外郭を形成し底部に脚を有する本体ケースと、その本体ケースに収納配置され肉等を加熱調理するためのプレート、或いはたこ焼き用のプレート等からなる複数の調理プレートと、調理プレートの下方に配置され加熱調理するためのヒータ等からなる加熱源と、調理プレートの上方に載置される蓋等の部材から構成される。
【０００３】
ホットプレートは、家庭内で簡単に肉等を調理することができ、たこ焼き等機能の異なる複数枚のプレートを有するものでは必要に応じて使い分けできるとともに、使用しない時には本体ケース内に複数の調理プレートを積み重ね、その上から蓋をし、ロックレバー等からなるロック機構により各部材を一体に組み付けることができる便利な調理具であり多くの家庭で使用されている。
【０００４】
ところでホットプレートを使用しない時には本体ケース内に調理プレート等を積み重ね一体化して片付けることになるが、保管場所の制約等もあり多くは長い側面を上下にした縦置きの状態で保管される。そのため保管場所まで縦置きの状態で運ぶことができればそのままの状態で保管場所に置くことができるためそのような形態で運搬できるものが望まれていた。
【０００５】
そのような要望に答えるものとして、従来図２４に示すものが提案されている。図に示すホットプレートａは、その外郭をなす本体ケースｂと、該本体ケースｂ内に順次収納配置される各種プレートｃとを有し、前記プレートｃの上部には蓋ｄが載置され、ホットプレートａの短辺側に対向して配置されるロック機構ｅ、ｅにより各部材は一体化される。
【０００６】
符号ｆは、収納ホルダーで断面コ字状の部材であり、その一端に内側に突出した支持部ｈを有し、他端には同じく内側に突出したフック部ｉを有するとともに、フック部ｉが設けられる面の反対側の面には取手ｇが設けられてなる。
【０００７】
そして、本体ケースｂ内に各種プレートｃ等をセットし、収納ホルダーｆの支持部ｈを本体ケースｂの一端側底部に引っかけ、支持部ｈを支点に収納ホルダーｆを回転させ、収納ホルダーｆのフック部ｉを本体ケースｂの他端側底部に圧入することにより、収納ホルダーｆをホットプレートａに取り付ける。持ち運びに際しては取手ｇを持ってホットプレートａを縦置きの状態にし、そのままの状態でホットプレートａを持ち上げ運ぶことになる（例えば、特許文献１参照。）。
【０００８】
ところがこの収納ホルダーｆは、ホットプレートａとは別体であり、いちいち取り外すための手間を要し、また収納ホルダーｆを紛失する恐れがあるとともに、製造するための時間並びにコストを要し結果的にホットプレートａの生産コストを高めていた。また、縦置きした場合、不安定になるとの問題も有していた。
【特許文献１】特開２００３−２２１０９１公報
【発明の開示】
【発明が解決しようとする課題】
【０００９】
本願発明は、ホットプレートを縦置きした場合、安定化する縦置き構造を提供することを目的にするものである。
【課題を解決するための手段】
【００１０】
上記目的を達成するため、本願発明は以下の構成を採用する。
【００１１】
本願発明は、本体ケースと、該本体ケース内に収納配置されるプレートと、該プレートを加熱するための加熱源と、前記プレート上に載置される蓋とを有し、前記本体ケースと前記プレートと前記蓋とを一体収納可能なホットプレートにおいて、前記本体ケースの一側面には脚部が設けられ、前記本体ケースを縦置きにしたときには、前記本体ケースは前記蓋と反対側に傾斜する構成。そしてこのような構成により、縦置きにしたとき蓋側方向にあるホットプレートの重心位置を本体ケース側に移すことができ縦置き状態がより安定化する。
【発明の効果】
【００１２】
本願発明は、本体ケースの一側面に脚部を設け、本体ケースを縦置きにしたときに本体ケースを蓋と反対側に傾斜させるようにすることにより、縦置きにしたとき蓋側方向にあるホットプレートの重心位置を本体ケース側に移すことができるため、縦置き状態をより安定化させそれだけホットプレートの信頼性を高めることができる。
【実施例１】
【００１３】
図１、２、３にホットプレート１の各部材を積み重ね、ホットプレート１の対向する短辺側面に２個のロックレバー１７でホットプレート１を嵌合した状態を示す。図１はその平面図を、図２は長辺側から取手を見た正面図を、図３はその反対側の４個の脚部を見た背面図をそれぞれ示す。
【００１４】
ホットプレート１は、外側に位置する本体ケース２と、その本体ケース２の内側に配置されるほぼ皿形状の図示しない水受け容器と、その水受け容器の内側に着脱自在に配置される加熱源としての図示しないヒータと、そのヒータの上部に着脱自在に載置される肉及びたこ焼き用等の複数のプレートと、そのプレートの上方開口面を閉蓋する蓋３等からなる。
【００１５】
前記プレート、蓋及び本体ケース等について概略すると、プレートは厚いアルミダイカスト製のもので、平面視矩形状でその全体はほぼ皿状に形成され、その短辺側の両側面にはそれぞれプレート取手４が設けられ、本体ケース２内に収納する際には図４に示すようにプレート取手４を重ね合わせる形態で収納される。
【００１６】
蓋３は鋼板製で、プレートとほぼ同じ平面視矩形状の部材であり、中央部が盛り上がった円弧状にされ、更に短辺側の上面両側端部にはそれぞれ同じ形状の蓋突起５が図示しないビスにより一体に取り付けられ、プレート等の各部材を一体に固定する場合、後記のロックレバー１７を該蓋突起５に係合することにより強固に固定する。
【００１７】
前記本体ケース２はホットプレート１の外郭を構成する樹脂製部材であり、平面視矩形状でその全体はほぼ皿形状を呈し、その底部には複数個の底脚部６が一体に形成される。また本体ケース２は、本体ケース２の底面図である図６に示すように、その中央部には大きな開口７を有するとともに、その外周側面は図９、１０等にも示すように内壁８及び外壁９からなる下方が開口した断面逆Ｕ字形上の環状溝１０が形成されるとともに、該環状溝１０には内壁８及び外壁９を連結する複数個の補強リブ１１が設けられる。更に、前記内壁８の内側には水受け容器等が配置される収納空間１２が形成される。
【００１８】
また、前記環状溝１０の短辺両側面部には、図６に示すように２本の縦溝１３が形成され、この縦溝１３の４箇所には図６で１個だけ図示するロックレバー用軸部材１４がそれぞれ環状溝１０の下方開口側から挿入されビス穴１５にビスにより固定される。該ロックレバー用軸部材１４の軸１６には、図５に示すようにコ字状のロックレバー１７が回動自在に取り付けられており、非使用時にはロックレバー１７は下方位置にあり、各部材をそれぞれ取り外し可能とし、各部材を一体に固定する際には、図５に示すように上方位置に回動され蓋突起５に係合にされる。なお、ロックレバー１７について本出願人は、特願２００３−１０７３２３として出願している。
【００１９】
本発明の取手１９並びにその取付けについて説明する。本体ケース２の長辺側の中央部の外壁９には、図２に示すようなコ字状の切欠き１８が設けられ、該切欠き１８には取手１９が取手用軸部材２０の軸２２を介して回動自在に取り付けられ、取手１９を使用しないときには取手１９は自重により図２、図１１に示すように本体ケース２内に収納されるとともに、取手１９の外周面１９ｅは本体ケース２の外面とほぼ同一平面になり、使用時にはほぼ９０度引き出され図５、図１０で示す位置にまで回動される。
【００２０】
取手１９を図１２及び図１３に示す。取手１９は、把持部１９ａ及び該把持部１９ａの両端に平行に配置される側柱部１９ｂからなる樹脂製の門形状部材である。把持部１９ａは手でもって取手１９を上下動させる部分であり、軽量化のため図１２に示すように中空形状とされ、側柱部１９ｂの先端部には後記の取手用軸部材２０の軸２２が嵌合される軸孔１９ｃが形成される。
【００２１】
また、この軸孔１９ｃには図１３に示すように切り溝１９ｄが一体に形成されており、軸２２に形成される軸突起２２ａが係合可能とされており、この切り溝１９ｄ内に軸２２の軸突起２２ａを嵌合することにより取手１９と取手用軸部材２０との取付けが行われる。
【００２２】
取手１９を軸支する前記取手用軸部材２０を図１４及び図１５に示す。取手用軸部材２０は、ＰＯＭ等の低摩擦及び低摩耗性の樹脂から形成され、本体部２１及び軸２２からなる。本体部２１は下方開口の箱形中空状部材であり、その内部にはビス２３ａが螺合される２つのビス穴２３が形成される。
【００２３】
前記軸２２は、本体部２１の上方部に水平方向に延びる形態で一体に形成されており、その先端下方には前記取手１９の切り溝１９ｄに挿入可能な軸突起２２ａが一体に形成されている。
【００２４】
そしてこの取手用軸部材２０は本体ケース２の外周上に形成される環状溝１０内に取手１９に嵌合された状態で取手１９とともに下方から上方に向かって押し込まれる形態で挿入される。その挿入箇所は、図６に示すように片側長辺部の中央部であり、挿入後の軸２２の先端部及び根本部が位置する箇所には図７、図８及び図９で示すような軸２２の径より若干大きい径のＵ字溝２４を有する補強用のＵ字形リブ２５が設けられており、取手１９を持ち上げたとき軸２２の先端部及び根本部は該Ｕ字溝２４に当接し、軸２２を強固に保持する。そしてこのＵ字溝２４の上端部は本体ケース２の上端部近傍にまで延設されており、軸２２の位置をできるだけ蓋３に近づけており、ホットプレート１を安定して持ち運ぶことができるようにしている。なお、このＵ字形リブ２５は従来形成される補強リブ１１の一部を兼用することができるため、それだけ部品点数を低減することができる。
【００２５】
取手１９と取手用軸部材２０の組み立てについて図１６により説明する。図１６の（Ａ）図は、取手用軸部材２０と取手１９との組み立てを示し、その（Ｂ）図は、更に本体ケース２との組み付けを示す。まず（Ａ）図についてであるが、取手用軸部材２０を立て、その軸２２をこちらに向けた状態にすると、軸２２上に形成される軸突起２２ａは下を向いた状態になる。
【００２６】
次に、取手１９を傾けその把持部１９ａを図に示すように右側に向くように配置すると側柱部１９ｂに設けられる軸孔１９ｃに形成される切り溝１９ｄは下を向くことになるため、その状態で側柱部１９ｂの軸孔１９ｃに取手用軸部材２０の軸２２を合わせる。次いで側柱部１９ｂの軸孔１９ｃに取手用軸部材２０の軸２２を押し込む。軸孔１９ｃ及び切り溝１９ｄは軸２２及び軸突起２２ａより若干大きく形成されているため、軸２２上に形成される軸突起２２ａは、軸孔１９ｃに形成される切り溝１９ｄ内を通過し、軸２２は軸孔１９ｃに挿入されることになる。
【００２７】
そのような操作を取手１９の両側柱部１９ｂ、１９ｂの両軸孔１９ｃ、１９ｃで行い、それぞれの軸孔１９ｃ、１９ｃ内に取手用軸部材２０、２０を嵌合する。嵌合後、矢印の方向に取手１９を回動して用いることになるが、組み付け後の取手１９の使用時及び非使用時には取手１９と取手用軸部材２０とはもはや（Ａ）図の位置を占めることはないため、取手１９と取手用軸部材２０とが切り離されることはない。
【００２８】
取手１９と取手用軸部材２０とが組み立てられた後、（Ｂ）図に示すように取手１９の把持部１９ａが下側になるようにし、その状態で取手用軸部材２０を本体ケース２の環状溝１０内に挿入する。その挿入は、前記したように２つのＵ字形リブ２５のＵ字溝２４内に軸２２の先端部及び根本部が位置するような箇所で行われる。挿入後においては、取手用軸部材２０に形成される２つのビス穴２３は図９に示す環状溝１０内に形成される２つのビス穴用ボス２６に形成されるビス穴２６ａ一致するため、図１０に示すようにビス２３ａにより取手用軸部材２０を本体ケース２に強固に固定する。その結果取手１９は、軸２２を中心にして回動自在に取り付けられる。
【００２９】
この場合、軸２２の取付位置は、本体ケース２の中央よりも上方位置とされる。そのためより強度の高い位置に取り付けることができ取手１９の取付け強度が高まる。更にホットプレート１は蓋３側に重心があるため、取手１９を持ってホットプレート１を持ち上げた場合、ホットプレート１は略垂直状態になるため安定して持ち運ぶことができる。
【００３０】
図１０及び図１１に取手１９の使用時及び非使用の収納時の状態を示す。取手１９の非使用時には、図１１に示すように取手１９の把持部１９ａは最下部にありその側柱部１９ｂの外周面１９ｅは、本体ケース２の外壁９の外周面と同一平面とされるとともに、取手１９の下端は本体ケース２の外壁９の下端と略同一にされ、取手１９の収納時の見栄えを良くしているとともに、取手１９に物が引っ掛かることが防止される。
【００３１】
取手１９の使用時には、図１０に示すように取手１９はほぼ水平の位置まで略９０度回動して引き出される。この場合、取手１９の上端は本体ケース２の上端と略同一かそれより低い位置にされる。そのため、ホットプレート使用時に取手１９が引き上げられた状態にあったとしても熱の影響を受けることはなくなる。
【００３２】
また、図１１に示すように本体ケース２の内壁８には段部８ａが形成され、内壁８の下部は上部に比べ内側に窪んだ形状にされており、取手１９の非使用時には、取手１９と内壁８の下部とに長さHの空隙２７が形成される。そのため、取手１９の使用時に把持部１９ａを掴む場合該空隙２７に指が入るため、把持部１９ａが掴みやすくなる。また、この空隙２７があることにより本体ケース２からの熱が遮蔽されるため取手１９が加熱されることがなくなる。
【００３３】
前記本体ケース２の取手１９が設けられる面と反対側の面には図３に示すように４個の脚部が設けられるとともに、図３の上方位置にある２個の脚部は高さの高い高脚部２８、２８として形成され、下方位置にある２個の脚部は高さの低い低脚部２９、２９として形成される。そのためホットプレート１を縦置きの状態にしたときには図４に示すようにホットプレート１は本体ケース２側に傾斜した状態で載置される。このように縦置きの状態で載置されることにより、蓋３側に重心があるホットプレート１が蓋３側に倒れることを防止することができる。
【実施例２】
【００３４】
図１７及び図１８に他の取手の例を示す。この例は、軸部をステンレスとし、把持部を回転自在の樹脂製とした例で、図に示すように取手３０は、軸本体３１及び把持部３２からなる。
【００３５】
軸本体３１は、ステンレス製で、外方へ突き出た軸部３１ａ、平行な側柱部３１ｂ及び中央の水平部３１ｃからなる略ハット状の棒状部材である。前記把持部３２は半円柱状の２つの半割体３３、３４からなり、それぞれの平面部内に 軸本体３１の水平部３１ｃを挟み込んだ状態でそれぞれの平面部に形成される係合片３３ａ、３４ａ同士を無理バメによって係合することにより軸本体３１の水平部３１ｃに回転自在に嵌合される。
【００３６】
また、軸本体３１の軸部３１ａは、軸受部材３５に軸支されるとともに、該軸受部材３５はビス３６により本体ケース２の環状溝１０内に形成されるビス穴用ボス３７に取り付けられる。そして該取手３０は、本体ケース２に設けられる切欠き１８を介して収納自在とされ、収納時においては実施例１と同様把持部３２の外面は本体ケース２の外面と同一とされ、更に把持部３２の下面は本体ケース２の下面とほぼ同じにされている。
【００３７】
このように取手３０の 軸本体３１をステンレス製にすることにより、見栄えが良くなるとともに強度がより高まる。更に把持部３２が回動自在になることによりホットプレート１が持ちやすくなる。
【実施例３】
【００３８】
図１９、図２０及び図２１に更に他の取手の例を示す。この例は、取手の軸を本体ケース２のより上方に設けるとともに、実施例１の取手用軸部材２０を省略するものである。本体ケース２の切欠き１８及び取手１９は、取手１９の切り溝１９ｄを除いて実施例１のものと同じであり同じ符号を用いるとともに詳細な説明は省略する。
【００３９】
即ち、本体ケース２には、実施例１と同じ長辺側の中央部に取手１９が設けられる。該取手１９が設けられる位置の内壁８の段部８ａには、図１９に示すように上方に突き出た膨出部４０が取手１９の把持部１９ａと同じ長さ間隔をおいて２個形成される。
【００４０】
この膨出部４０は内部に取手１９の側柱部１９ｂの先端が挿入される空間部４３が形成されるとともに、その両側面には軸受部４１が一体に形成される。また、軸受部４１の中心部には空間部４３に連通し、且つ金属製の軸４２が圧入される軸孔４４が設けられている。
【００４１】
取手１９の取り付けについて説明する。取手１９を本体ケース２の下方から環状溝１０内に挿入し、取手１９の側柱部１９ｂの先端を前記膨出部４０の空間部４３内に押し込む。膨出部４０の空間部４３は、側柱部１９ｂの先端が空間部４３内に押し込まれたときに軸受部４１の軸孔４４と取手１９の側柱部１９ｂ先端の軸孔１９ｃとが一致するような大きさで作られており、取手１９の側柱部１９ｂの先端を膨出部４０の空間部４３内に押し込むことにより、軸受部４１の軸孔４４と取手１９の側柱部１９ｂ先端の軸孔１９ｃとが一致する。そこで、図１９に矢印で示す方向に軸４２を軸受部４１内に圧入し、軸４２に対し取手１９を回動自在に軸支する。
【００４２】
この実施例のものは、軸４２を蓋３方向により近づけることができるためホットプレート１をより安定に持ち運ぶことができるとともに、膨出部４０を利用して軸４２を支持することができるため、実施例１のような軸部材が不要になり、それだけ生産コストを低減することができる。
【実施例４】
【００４３】
図２２及び図２３に更に他の取手の例を示す。この例は、実施例３の膨出部を別部材として形成するものである。
【００４４】
即ち、本体ケース２には、実施例１と同じ長辺側の中央部に取手１９が設けられる。該取手１９が設けられる位置の内壁８の段部８ａ上面には、図２２に示すように開孔５１が取手１９の把持部１９ａと同じ長さ間隔をおいて２個形成される。
【００４５】
また、この開孔５１を閉蓋するための膨出部材５０が別途用意される。この膨出部材５０の両側面の下部と中央部には、フランジ５４、５４と軸受部５２、５２とが形成されるとともに、内部に取手１９の側柱部１９ｂの先端が挿入可能な空間部５５が形成される。そして膨出部材５０を開孔５１上に被せ、フランジ５４、５４の下面と段部８ａの上面を接着剤等により固定する。
【００４６】
取手１９の取り付けについて説明する。取手１９を本体ケース２の下方から環状溝１０内に挿入し、取手１９の側柱部１９ｂの先端を前記膨出部材５０の空間部５５内に押し込む。膨出部材５０の空間部５５は、側柱部１９ｂの先端が空間部４３内に押し込まれたときに軸受部５２の軸孔５６と取手１９の側柱部１９ｂ先端の軸孔１９ｃとが一致するような大きさで作られており、取手１９の側柱部１９ｂの先端を膨出部材５０の空間部５５内に押し込むことにより、軸受部５２の軸孔５６と取手１９の側柱部１９ｂ先端の軸孔１９ｃとが一致する。そこで、図２２に矢印で示す方向に軸５３を軸受部５２内に圧入し、軸５３に対し取手１９を回動自在に軸支する。
【００４７】
この実施例のものも実施例３のものと同様に軸５３をより蓋３方向に近づけることができるためホットプレート１をより安定に持ち運ぶことができる。
【００４８】
本願発明は、上記実施例の構成に限定されるものではなく、発明の要旨を逸脱しない範囲において適宜設計変更可能であることは勿論である。
【図面の簡単な説明】
【００４９】
【図１】本発明のホットプレートの平面図
【図２】本発明のホットプレートの長辺側正面図
【図３】本発明のホットプレートの図２とは反対側の背面図
【図４】本発明のホットプレートの縦置き状態を示す図
【図５】本発明のホットプレートの短辺側側面図
【図６】本発明の本体ケースの底面図
【図７】本発明の取手部分を一部本体ケースの外壁を取り除いて示す拡大図
【図８】本発明の軸部材と取手の係合を本体ケースの底部からみた状態を示す概略図
【図９】本発明の軸部材の軸が当接するＵ字形補強リブを示す断面図
【図１０】本発明の取手を引き出した状態を示す断面図
【図１１】本発明の取手を収納した状態を示す断面図
【図１２】本発明の取手をその一部を断面で示す平面図
【図１３】本発明の取手をその一部を断面で示す側面図
【図１４】本発明の軸部材の側面図
【図１５】本発明の軸部材の正面図
【図１６】本発明の取手と軸部材との組み立て概略図
【図１７】本発明の他の取手の側断面図
【図１８】本発明の他の取手の正面図
【図１９】本発明の更に他の取手の軸が取り付けられる本体ケース箇所を示す斜視図
【図２０】本発明の更に他の取手の側断面図
【図２１】本発明の更に他の取手の正面図
【図２２】本発明の更に他の取手の軸が取り付けられる本体ケース箇所を示す斜視図
【図２３】本発明の更に他の取手の側断面図
【図２４】従来のホットプレートに収納ホルダーを取り付けた状態を示す断面図
【符号の説明】
【００５０】
１…ホットプレート        ２…本体ケース
３…蓋                    ４…プレート取手
５…蓋突起                ６…底脚部
７…開口                  ８…内壁
８ａ…段部                ９…外壁
１０…環状溝              １１…補強リブ
１２…収納空間            １３…縦溝
１４…ロックレバー用軸部材  １５，２３，２６ａ…ビス穴
１６，２２，４２，５３…軸  １７…ロックレバー
１８…切欠き  １９…取手
１９ａ，３２…把持部      １９ｂ，３１ｂ…側柱部
１９ｃ，４４，５６…軸孔  １９ｄ…切り溝
１９ｅ…外周面            ２０…取手用軸部材
２１…本体部              ２２ａ…軸突起
２３ａ，３６…ビス        ２４…Ｕ字溝
２５…Ｕ字形リブ          ２６，３７…ビス穴用ボス
２７…空隙                ２８…高脚部
２９…低脚部              ３０…取手
３１…軸本体              ３１ａ…軸部
３１ｃ…水平部            ３３…半割体
３３ａ…係合片            ３５…軸受部材
４０…膨出部              ４１，５２…軸受部
４３，５５…空間部        ５０…膨出部材
５１…開孔                ５４…フランジ
【図１】
2006247408.tif 000003
【図２】
2006247408.tif 000004
【図３】
2006247408.tif 000005
【図４】
2006247408.tif 000006
【図５】
2006247408.tif 000007
【図６】
2006247408.tif 000008
【図７】
2006247408.tif 000009
【図８】
2006247408.tif 000010
【図９】
2006247408.tif 000011
【図１０】
2006247408.tif 000012
【図１１】
2006247408.tif 000013
【図１２】
2006247408.tif 000014
【図１３】
2006247408.tif 000015
【図１４】
2006247408.tif 000016
【図１５】
2006247408.tif 000017
【図１６】
2006247408.tif 000018
【図１７】
2006247408.tif 000019
【図１８】
2006247408.tif 000020
【図１９】
2006247408.tif 000021
【図２０】
2006247408.tif 000022
【図２１】
2006247408.tif 000023
【図２２】
2006247408.tif 000024
【図２３】
2006247408.tif 000025
【図２４】
2006247408.tif 000026